(57)【要約】【課題】  コネクタの強度を損ねることなく、簡易な構成としたコネクタにより、嵌合により生じる位置ずれを吸収するようにする。【解決手段】  プラグと、このプラグに嵌合されるリセプタクルとを有するコネクタであって、リセプタクルコンタクトを保持する絶縁材料で形成されるリセプタクルハウジングに嵌合方向と交差する方向に突出する凸部を設ける。また、プラグコンタクトを保持するプラグハウジングには嵌合方向に沿って延びる溝であって、リセプタクルハウジングに設けられた凸部が嵌合可能な溝を有する壁部を設ける。凸部の幅は溝の幅より狭く、リセプタクルはプラグハウジングに嵌合された状態で嵌合方向と交差する方向に揺動して位置ずれを吸収する。【選択図】        図１
2005122995.tif 000002
【特許請求の範囲】
【請求項１】
複数のプラグコンタクトおよびこれらプラグコンタクトを保持するプラグハウジングを有するプラグと、複数のリセプタクルコンタクトおよびこれらリセプタクルコンタクトを保持するリセプタクルハウジングとを有するリセプタクルと、を備え、
前記プラグに前記リセプタクルを嵌合することにより、前記プラグコンタクトと前記リセプタクルコンタクトとが接続されるコネクタであって、
前記リセプタクルハウジングは、前記プラグに対する前記リセプタクルの嵌合方向に交差する方向に突出する凸部を備え、
前記プラグハウジングは、前記嵌合方向に沿って延びて前記凸部が嵌合可能な溝を有する壁部を備え、
前記リセプタクルハウジングの凸部の幅は、前記リセプタクルの溝の幅よりも狭いコネクタ。
【請求項２】
前記溝は、前記壁部の先端まで延びており、前記壁部の先端に向かうに従って深さが深くなる請求項１記載のコネクタ。
【請求項３】
前記プラグハウジングは、第１プラグハウジングと、この第１プラグハウジングから離間して配置される第２プラグハウジングと、を備え、
前記第２プラグハウジングは、前記壁部を備え、
前記プラグコンタクトは、弾性部材で形成され、前記第２プラグハウジングと前記第１プラグハウジングとを連結する請求項１または２記載のコネクタ。
【請求項４】
前記プラグコンタクトは、前記リセプタクルコンタクトと接触する弾性部材からなる板状の接触部を備え、
前記リセプタクルコンタクトは、前記接触部を挟む弾性部材からなる二股の挟持部を備える請求項３記載のコネクタ。
【請求項５】
複数のプラグコンタクトおよびこれらプラグコンタクトを保持するプラグハウジングを有するプラグと、複数のリセプタクルコンタクトおよびこれらリセプタクルコンタクトを保持するリセプタクルハウジングとを有するリセプタクルと、を備え、
前記プラグに前記リセプタクルを嵌合することにより、前記プラグコンタクトと前記リセプタクルコンタクトとが接続されるコネクタであって、
前記プラグハウジングは、第１プラグハウジングと、この第１プラグハウジングから離間して配置される第２プラグハウジングと、を備え、
前記プラグコンタクトは、弾性部材で形成され、前記第２プラグハウジングと前記第１プラグハウジングとを連結するコネクタ。
【発明の詳細な説明】
【技術分野】
【０００１】
本発明は、電気回路が組み込まれた基板同士を電気的に接続するために用いるコネクタに関する。
【背景技術】
【０００２】
従来、コネクタを基板に実装し、基板同士を電気的に接続するためのコネクタとして、コネクタの嵌合時に生じる位置ずれを吸収する機構を備えたコネクタが知られている。このようなコネクタの例として、基板に実装される一対のコネクタの一のコンタクトの脚部を外部に露出させ、この脚部によって相手側コンタクトとの嵌合の際に生じるずれを吸収させるようにしたコネクタが開示されている（特許文献１参照）。このコネクタによれば、コンタクトの脚部が金属線のような弾性を有する部材で構成されるとともに、かかる部分がハウジングで覆われずに露出するため、変形自在で嵌合時の位置ずれを吸収することができる。
【０００３】
しかし、上記従来例においては、位置ずれを吸収するため、外部に露出されたコンタクトの脚部はきわめて薄い線状の金属片で構成される一方、この部分が基板に固定され、絶縁材料よりなるハウジングを浮かせた状態で支える構造となっているため、コンタクトの脚部にかかる負荷が大きく、この脚部が破損しやすくなる。また、上記のコネクタにおいては、外部に露出された脚部を有するコネクタが固定される基板にスペーサを固定することにより、脚部の変形の程度を規制する。しかし、このスペーサはコネクタ本体と分離した部材として構成されるため、部品点数が多くなるほか、コネクタ固定のためのスペースを多く必要とし、高密度実装に対応できない。
【特許文献１】特開２０００−２６０５２７号公報
【発明の開示】
【発明が解決しようとする課題】
【０００４】
本発明は、上記課題に対し、コネクタの強度を損ねることなく、嵌合の際に生じる位置ずれを吸収することができるコネクタを提供することを目的とする。また、本発明の別の目的は、コネクタの部品点数を増加させることなく、簡易な構成で位置ずれを吸収することができるコネクタを提供することである。
【課題を解決するための手段】
【０００５】
本発明は、上記の課題を解決するため、以下の発明を提供する。
【０００６】
（１）  複数のプラグコンタクトおよびこれらプラグコンタクトを保持するプラグハウジングを有するプラグと、複数のリセプタクルコンタクトおよびこれらリセプタクルコンタクトを保持するリセプタクルハウジングとを有するリセプタクルと、を備え、前記プラグに前記リセプタクルを嵌合することにより、前記プラグコンタクトと前記リセプタクルコンタクトとが接続されるコネクタであって、前記リセプタクルハウジングは、前記プラグに対する前記リセプタクルの嵌合方向に交差する方向に突出する凸部を備え、前記プラグハウジングは、前記嵌合方向に沿って延びて前記凸部が嵌合可能な溝を有する壁部を備え、前記リセプタクルハウジングの凸部の幅は、前記リセプタクルの溝の幅よりも狭いコネクタ。
【０００７】
（２）  前記溝は、前記壁部の先端まで延びており、前記壁部の先端に向かうに従って深さが深くなる（１）記載のコネクタ。
【０００８】
（３）  前記プラグハウジングは、第１プラグハウジングと、この第１プラグハウジングから離間して配置される第２プラグハウジングと、を備え、前記第２プラグハウジングは、前記壁部を備え、前記プラグコンタクトは、弾性部材で形成され、前記第２プラグハウジングと前記第１プラグハウジングとを連結する請求項１または２記載のコネクタ。
【０００９】
（４）  前記プラグコンタクトは、前記リセプタクルコンタクトと接触する弾性部材からなる板状の接触部を備え、前記リセプタクルコンタクトは、前記接触部を挟む弾性部材からなる二股の挟持部を備える（３）記載のコネクタ。
【００１０】
（５）  複数のプラグコンタクトおよびこれらプラグコンタクトを保持するプラグハウジングを有するプラグと、複数のリセプタクルコンタクトおよびこれらリセプタクルコンタクトを保持するリセプタクルハウジングとを有するリセプタクルと、を備え、前記プラグに前記リセプタクルを嵌合することにより、前記プラグコンタクトと前記リセプタクルコンタクトとが接続されるコネクタであって、前記プラグハウジングは、第１プラグハウジングと、この第１プラグハウジングから離間して配置される第２プラグハウジングと、を備え、前記プラグコンタクトは、弾性部材で形成され、前記第２プラグハウジングと前記第１プラグハウジングとを連結するコネクタ。
【発明の効果】
【００１１】
（１）の発明では、リセプタクルがプラグに対向する方向から挿入される際、プラグハウジングに設けられた壁部の溝に沿ってリセプタクルハウジングの凸部が挿入される部分が定められ、リセプタクルが嵌め込まれる。このため、プラグとリセプタクルとの嵌合を機械的に容易に行うことができる。また、リセプタクルハウジングの外側に設けられた凸部の横幅は、プラグハウジングの壁部の溝の幅より短く、凸部と壁部の溝とは所定の隙間を有した状態で嵌合される。このため、リセプタクルはこの隙間の分だけ、揺動してプラグとリセプタクルとの間に生じるずれを吸収する。そして、この溝と凸部とはそれぞれプラグハウジングとリセプタクルハウジングに設けられているため、コネクタの強度を損ねることを防止できる。また、部品点数の増加を防いで、高密度実装に対応できる。
【００１２】
また、（２）の発明に係るコネクタは、プラグハウジングに設けられた溝が壁部の先端まで延びており、先端に向かうに従って溝の深さが深くなるように切り欠かれたテーパ状をなす。このテーパ状の部分は、リセプタクルハウジングの凸部が壁部の溝に挿入される際のガイドとして機能し、一対の壁部により規制されたリセプタクルハウジングが挿入される部分を、さらに精緻に規制することができる。
【００１３】
（３）記載の発明によれば、第１プラグハウジング内側に第２プラグハウジングが設けられ、この第２プラグハウジングにリセプタクルハウジングの凸部が挿入される溝を有する壁部が設けられるため、プラグとリセプタクルの嵌合が容易である。また、第１プラグハウジングと第２プラグハウジングとが弾性部材を介して一定の隙間を有するように離間した状態で接続されていることにより、第２プラグハウジングがこの隙間で揺動し、ずれを吸収する。このため、溝と凸部との間の隙間で位置ずれを吸収することができる上、第１プラグハウジングと第２プラグハウジングとの間の隙間でも位置ずれを吸収することができ、このコネクタは二段階で位置ずれを吸収することができる。
【００１４】
（４）記載の発明は、プラグコンタクトがリセプタクルコンタクトと接触する板状の接触部を有する一方、リセプタクルコンタクトがこの板状の接触部を挟む二股の挟持部を有するため、プラグとリセプタクルとが位置ずれを吸収するために揺動してプラグコンタクトとリセプタクルコンタクトとの接触が失われて接触不良が生じることを防止できる。また、接触部と挟持部とはいずれも金属のような弾性部材で形成されるため、壁部と凸部、または第１ハウジングと第２ハウジングとが揺動する方向と交差する方向に揺動可能で、かかる方向の位置ずれを吸収することができる。
【００１５】
（５）記載の発明は、第１プラグハウジングと第２プラグハウジングとが弾性部材を介して一定の隙間を有するように離間した状態で接続されている。このため、第２プラグハウジングが第１プラグハウジングとの隙間で揺動し、ずれを吸収できる。
【発明を実施するための最良の形態】
【００１６】
ここで、本発明の一実施形態について図面を用いて説明する。以下、同一部材については同一符号を付し、説明を省略または簡略化する。
【００１７】
図１は、本発明の一実施形態であるコネクタ５が嵌合される状態を示す斜視図である。コネクタ５は、プラグ１と、プラグ１と嵌合されるリセプタクル２とを有する。プラグ１は、複数のプラグコンタクト２０と、これらのプラグコンタクト２０を保持するプラグハウジング１０とを備えている。プラグハウジング１０は合成樹脂などの絶縁材料で形成され、一対の長辺および一対の短辺で囲まれた略長方形枠状をなす。
【００１８】
一方、リセプタクル２は、複数のリセプタクルコンタクト７０と、これらのリセプタクルコンタクト７０を保持するリセプタクルハウジング６０とを備えている。リセプタクルハウジング６０は、合成樹脂などの絶縁材料で形成され、プラグハウジング１０内に嵌入可能な大きさの略直方体状をなす。
【００１９】
プラグ１は、プラグコンタクト２０の一部が基板ｋ１に半田付けされることにより基板ｋ１に固定される。また、リセプタクル２はリセプタクルコンタクト７０の一部が基板ｋ２に半田付けされることにより基板ｋ２に固定されている。プラグ１が固定された基板ｋ１とリセプタクル２が固定された基板ｋ２とは対向配置され、基板ｋ２と基板ｋ１とが対向する方向（図１における上下方向）に動かされることにより、リセプタクル２がプラグ１に嵌入され、リセプタクルコンタクト７０とプラグコンタクト２０とが接続される。
【００２０】
次に、プラグ１について図２および図３を用いて詳しく説明する。図２は、図１のプラグ１をリセプタクル２との嵌合面を上として上方から見た場合の全体斜視図である。図３（ａ）は、嵌合面を上にした状態で図２のプラグ１を上方から見た平面図であり、図３（ｂ）は図３（ａ）のプラグ１の正面図、および図３（ｃ）は、図３（ａ）のプラグ１の側面図である。
【００２１】
図２に示すように、本実施形態に係るプラグ１のプラグハウジング１０は、第１プラグハウジング１０ａと第２プラグハウジング１０ｂとを備える。第１プラグハウジング１０ａは、対向する一対の樹脂製の長片１００と、一対の対向配置される樹脂片であって、長片１００に対して直角に配置される短片１０１とで囲まれた略長方形枠状をなし、四隅は四角孔１１２を設けた四角柱１１１となっている。長片１００上には、複数の保護壁１１０が長手方向に沿って櫛の歯状に並べて立設され、保護壁１１０の間にプラグコンタクト２０の一部が配置されている。また、長片１００にもプラグコンタクト２０の一部が埋設されている。
【００２２】
上記の第１プラグハウジング１０ａの長片１００と短片１０１とで囲まれた部分の内側には、第２プラグハウジング１０ｂが備えられている。図４は、嵌合面を上にして上方から第２プラグハウジング１０ｂを見た場合の全体斜視図である。第２プラグハウジング１０ｂは、樹脂製の長方形平板状の底板１２１を有し、底板１２１の長手方向両端部には対向する一対の壁部１１が配置される。底板１２１上には、プラグコンタクト２０が長手方向に沿って並べられて保持されている。底板１２１上に配置されたプラグコンタクト２０の間には仕切り板１２２が配置され、仕切り板１２２の片端は接続板１２３で接続されている。
【００２３】
壁部１１には、リセプタクル２との嵌合方向（図４の上下方向）に沿って延びる溝１２が設けられている。溝１２はリセプタクル２との嵌合方向に沿って壁部１１の基端から先端まで伸び、先端部分は先端に向かって深さが深くなるように切り欠かれたテーパ面１２０となっている。この溝１２により、リセプタクル２のプラグ１への嵌入を容易に行うことができる。
【００２４】
次に、図５を用いてプラグコンタクト２０について詳しく説明する。図５は、図３（ａ）のプラグ１をＹ−Ｙ線で切断した場合の断面模式図である。プラグコンタクト２０は、金属などの導電性材料で形成され、プラグ脚部２０１、連結部２０２および接触部２０３を有する。プラグ脚部２０１は、第１プラグハウジング１０ａの長片１００上に一部が埋設されて保持され、接触部２０３は、第２プラグハウジング１０ｂの底板１２１上に一部が埋設されて保持されている。
【００２５】
連結部２０２は、接触部２０３とプラグ脚部２０１とに接続され、接触部２０３、連結部２０２、およびプラグ脚部２０１とを電気的に導通させるとともに、第１プラグハウジング１０ａと、第２プラグハウジング１０ｂとを連結している。第２プラグハウジング１０ｂの長手方向に沿って隣り合うプラグコンタクト２０は、図３（ａ）に示すように、第２プラグハウジング１０ｂ短手方向で相互に逆向きの方向（図３（ａ）における前または後ろの方向）にプラグ脚部２０１および連結部２０２が伸延されるように第２プラグハウジング１０ｂ上に並べられる。
【００２６】
接触部２０３は、リセプタクルコンタクト７０と接触する板状部２０３ａと、板脚部２０３ｃ、および連結部２０２と連結されるＬ型脚部２０３ｂを有する。板脚部２０３ｃとＬ型脚部２０３ｂとは、第２プラグハウジング１０ｂの底板１２１に一部が埋設されることにより、接触部２０３が第２プラグハウジング１０ｂに保持されている。
【００２７】
プラグ脚部２０１は、図５の上下方向で示される嵌合方向に沿って伸びる外側分岐脚２０１ａと内側分岐脚２０１ｂとを有し、外側分岐脚２０１ａと内側分岐脚２０１ｂとは基端部２０１ｃで接続され、略Ｕ字形をなす。また、外側分岐脚２０１ａの先端部にはプラグ固定部２０１ｄが設けられている。プラグ固定部２０１ｄは、基板ｋ１に半田付けされ、プラグ１が基板ｋ１に固定される。また、プラグ脚部２０１の略Ｕ字形底辺部をなす基端部２０１ｃは、連結部２０２と接続されている。
【００２８】
連結部２０２は、図５の上下方向で示される嵌合方向に沿って伸びる外側分枝２０２ａと内側分枝２０２ｂとを有する。内側分枝２０２ｂは、嵌合方向と交差する方向であって接触部２０３に向かう方向に屈曲してなる中間平坦部２０２ｄと接続され、中間平坦部２０２ｄを介して接触部２０３と接続されている。また、外側分枝２０２ａは、プラグ脚部２０１と接続されている。外側分枝２０２ａと内側分枝２０２ｂとは、一定の間隔を設けて略Ｕ字形になるように連結平坦部２０２ｃにより連結されている。このため、外側分枝２０２ａと内側分枝２０２ｂとの間には隙間が生じ、第１プラグハウジング１０ａと第２プラグハウジング１０ｂとは離間した状態で接続される。
【００２９】
また、連結部２０２は、弾性を有する細い金属片で構成され、略Ｕ字形をなすため、第２プラグハウジング１０ｂは、内側分枝２０２ｂと外側分枝２０２ａの間に設けられた間隔の長さで嵌合方向に交差する方向に揺動可能となる。このため、第１プラグハウジング１０ａと第２プラグハウジング１０ｂとの間の空間はプラグとリセプタクルとの間に生じる位置ずれを吸収する。なお、連結部２０２は上述した略Ｕ字形のものに限られず、第１プラグハウジング１０ａと第２プラグハウジング１０ｂとを離間した状態で接続することができる任意の形状のものを採用することができる。このような形状としては略Ｕ字形のもののほか、例えば金属線が山と谷とを交互に繰り返して有するように構成されたものなどが挙げられる。
【００３０】
次に、図１のリセプタクル２について、図６および図７を用いて説明する。図６は、図１のリセプタクル２をプラグ１との嵌合面を上として上方から見た場合の全体斜視図である。図７（ａ）は、嵌合面を上にした状態で図６のリセプタクル２を上方から見た平面図であり、図７（ｂ）は図７（ａ）のリセプタクル２の側面図である。
【００３１】
図６に示すように、リセプタクルハウジング６０は、対向する一対の平面壁６０１と、平面壁６０１に対して直角に配置される一対の凸壁６０２と、嵌合面に対向する位置に配置され、平面壁６０１と凸壁６０２とで囲まれた略長方形の枠の開口部の一方を覆う底面壁６０３とを有する略直方体状となっている。リセプタクルハウジング６０の横幅ｄ４は、図１のプラグの壁部１１の横幅ｄ３より狭くなっており、リセプタクル２はプラグ１のプラグハウジング１０内に収まるようになっている。
【００３２】
平面壁６０１、凸壁６０２および底面壁６０３はいずれも樹脂製の略長方形かつ平板状である。凸壁６０２は、嵌合方向に対して交差する方向で外側に突出する凸部６２を備えている。凸部６２の横幅ｄ２は、図２のプラグの壁部１１に設けられた溝１２の横幅ｄ１より狭くなっている。
【００３３】
リセプタクルハウジング６０には、複数のリセプタクルコンタクト７０が長手方向に沿って並べられている。リセプタクルハウジング６０長手方向に沿って隣り合うリセプタクルコンタクト７０同士は、図７（ａ）に示すように短手方向に異なる位置に配置され、長手方向に沿って直列に並び連ならない。このため、小型のリセプタクルハウジング６０に多くのリセプタクルコンタクト７０を保持することができる。
【００３４】
図８は、図７（ａ）のリセプタクル２のＺ−Ｚ線での断面の一部を示す模式図である。図８では、実線で示す４個のリセプタクルコンタクト７０と破線で示す３個のリセプタクルコンタクト７０とを表している。実線で示したリセプタクルコンタクト７０は、図７（ａ）のＺ−Ｚ線の前方に並べられ、破線で示したリセプタクルコンタクト７０はＺ−Ｚ線の後方に並べられているものである。
【００３５】
リセプタクルコンタクト７０は細い金属片で形成され、一対の爪７０１、基部７０２、リセプタクル脚部７１を有する。爪７０１は先端部が膨らんだ鉤部７０３を有し、一対の爪７０１の基端同士は基部７０２で接続され、挟持部７０５を構成している。基部７０２には、爪７０１が接続される方向とは逆の方向において突出部７０４が接続され、リセプタクルコンタクト７０全体が音叉状をなす。また、突出部７０４にはリセプタクル脚部７１が接続されている。
【００３６】
リセプタクル脚部７１は、図６に示すように、リセプタクル２の短手方向の片側に延び、リセプタクルハウジング６０から突出する。図７（ａ）に示すように、隣り合うリセプタクルコンタクト７０のリセプタクル脚部７１は、リセプタクル２の短手方向で逆向きとなるように伸延され、図７（ａ）においては、手前または奥の方向に交互に伸延される。このリセプタクル脚部７１は基板ｋ２に半田付けされ、これにより、リセプタクル２が基板ｋ２に固定される。
【００３７】
次に、図１、図９、図１０および図１１を用いてプラグ１とリセプタクル２との嵌合について説明する。図１に示すように、基板ｋ１に固定されたプラグ１と、基板ｋ２に固定されたリセプタクル２とは、リセプタクルハウジング６０の外側に設けられた凸部６２がプラグハウジング１０の壁部１１の溝１２に嵌まり込むような位置に配置され、嵌合方向（図１の上下方向）に押圧されることにより、凸部６２が溝１２に沿って下向きに動かされる。これにより、リセプタクル２はプラグ１の内側を垂下し、リセプタクル２とプラグ１とは歪みを生じることなく容易に嵌合される。なお、プラグ１とリセプタクル２との嵌合は、プラグ１またはリセプタクル２のいずれか一方または両方を嵌合方向に動かすことにより行なわれる。
【００３８】
プラグハウジング１０に嵌め込まれたリセプタクルハウジング６０は、プラグハウジング１０の溝１２において、嵌合方向に交差する方向であって溝１２の横幅方向（図１においては前後の方向）に揺動可能である。
【００３９】
図９は、図１のプラグ１の第２プラグハウジング１０ｂとリセプタクルハウジング６０とが隙間ｅ１を有し、揺動する状態を図１の上から見た場合を示す模式図である。すなわち、リセプタクルハウジング６０に設けられた凸部６２の横幅ｄ２は、壁部１１の溝１２の横幅ｄ１より狭いため、リセプタクルハウジング６０の凸部６２と壁部１１の溝１２との間には両者の横幅ｄ１とｄ３との差幅分の隙間ｅ１が生じる。このため、リセプタクルハウジング６０はプラグハウジング１０に嵌合された状態で、例えば図９（ａ）に示すように図の後方に偏った状態、図９（ｂ）に示すように凸部６２の長手方向両側部に隙間を有した状態、または図９（ｃ）に示すように前方に偏った状態の任意の状態となるように揺動できる。プラグ１とリセプタクル２とがこのように揺動可能に嵌合されることにより、プラグ１とリセプタクル２との嵌合が容易になるほか、プラグ１とリセプタクル２との間に生じる位置ずれが吸収される。
【００４０】
図４に示すように、溝１２の先端部分にはテーパ面１２０が設けられ、一対の壁部１１間の長さは先端部がもっとも長くなる。このため、図１に示すようにリセプタクル２がプラグ１に向かって嵌合される際、リセプタクルハウジング６０に設けられた凸部６２を溝１２に嵌め込むことが容易になる。
【００４１】
また、図５に示すように、プラグ１の第１プラグハウジング１０ａと第２プラグハウジング１０ｂとは、離間した状態で連結されている。このため、第１プラグハウジング１０ａと第２プラグハウジング１０ｂとの間の隙間において、プラグ１とリセプタクル２との間の位置ずれを吸収することができる。
【００４２】
図１０は、図１のプラグ１の第２プラグハウジング１０ｂが第１プラグハウジング１０ａの間で揺動する状態を図１の上から見た場合を示す模式図である。第２プラグハウジング１０ｂは、図５に示すように、連結部２０２の外側分枝２０２ａと内側分枝２０２ｂとの間が広げられている状態では図１０（ｂ）のように、外側分枝２０２ａと内側分枝２０２ｂとの間隔の長さの隙間ｅ２を第２プラグハウジング１０ｂ長手方向両側部に有する。一方、外側分枝２０２ａと内側分枝２０２ｂとの間が狭められて両者が接触する状態になると図１０（ａ）または図１０（ｃ）に示すように隙間ｅ２が長手方向の側部のいずれか片方に偏って生じた状態となる。このようにして、隙間ｅ１により位置ずれが吸収されるほか、隙間ｅ２によっても位置ずれが吸収され、プラグ１は二段階で位置ずれを吸収する構成とされている。
【００４３】
次に、図１１を用いて、図１のプラグコンタクト２０とリセプタクルコンタクト７０とが接続されている状態を説明する。図１１はプラグコンタクト２０とリセプタクルコンタクト７０とが嵌合されている状態を示す模式図である。プラグコンタクト２０の接触部２０３の板状部２０３ａは、リセプタクルコンタクト７０の挟持部７０５で挟まれ、プラグコンタクト２０とリセプタクルコンタクト７０とが接続される。プラグコンタクト２０とリセプタクルコンタクト７０とは、いずれも金属などの導電性材料から形成され、弾性を有する。このため、プラグコンタクト２０とリセプタクルコンタクト７０とは接触した状態で嵌合方向と交差する二つの方向（図１１の前後方向および左右方向）に揺動可能で、プラグとリセプタクルとの間に生じる位置ずれを吸収する。
【００４４】
また、リセプタクルコンタクト７０は、２本の爪７０１でプラグコンタクト２０の板状部２０３ａを挟持するため、リセプタクルコンタクト７０とプラグコンタクト２０との接触がより確実なものとされる。さらに、爪７０１の先端に設けられた鉤部７０３もプラグコンタクト２０とリセプタクルコンタクト７０との接触をより確実にする。すなわち、リセプタクルコンタクト７０とプラグコンタクト２０とが嵌合方向と交差する方向であって、リセプタクルコンタクト７０およびプラグコンタクト２０とが並べられる方向とも交差する方向（図１１の前後方向）にリセプタクルコンタクト７０とプラグコンタクト２０の一方または両方が揺動してもプラグコンタクト２０とリセプタクルコンタクト７０との接触が失われることを防止することができる。
【産業上の利用可能性】
【００４５】
本発明は、電気回路が組み込まれた基板同士を電気的に接続するために用いることができる。より具体的には、本発明は、一対の基板が動く時にこれらの基板に固定された一対のコネクタの間に生じるずれを吸収し、これらの基板同士を電気的に接続するために用いることができる。
【図面の簡単な説明】
【００４６】
【図１】本発明の一実施形態に係るコネクタを示す全体斜視図である。
【図２】前記実施形態に係るプラグの全体斜視図である。
【図３】（ａ）は前記実施形態に係るプラグの平面図、（ｂ）はその正面図、（ｃ）はその側面図である。
【図４】前記実施形態に係る第２プラグハウジングの全体斜視図である。
【図５】前記実施形態に係るプラグの断面模式図である。
【図６】前記実施形態に係るリセプタクルの全体斜視図である。
【図７】（ａ）は前記実施形態に係るリセプタクルの平面図であり、（ｂ）はその側面図である。
【図８】前記実施形態に係るリセプタクルの断面の一部を示す模式図である。
【図９】前記実施形態に係る第２プラグハウジングとリセプタクルハウジングとの嵌合状態を説明するための図である。
【図１０】前記実施形態に係る第１プラグハウジングと第２プラグハウジングとの嵌合を説明するための図である。
【図１１】前記実施形態に係るプラグコンタクトとリセプタクルコンタクトとの接続状態を説明するための図である。
【符号の説明】
【００４７】
１      プラグ
２      リセプタクル
１０    プラグハウジング
１０ａ  第１プラグハウジング
１０ｂ  第２プラグハウジング
１１    壁部
１２    溝
２０    プラグコンタクト
６０    リセプタクルハウジング
６２    凸部
７０    リセプタクルコンタクト
【図１】
2005122995.tif 000003
【図２】
2005122995.tif 000004
【図３】
2005122995.tif 000005
【図４】
2005122995.tif 000006
【図５】
2005122995.tif 000007
【図６】
2005122995.tif 000008
【図７】
2005122995.tif 000009
【図８】
2005122995.tif 000010
【図９】
2005122995.tif 000011
【図１０】
2005122995.tif 000012
【図１１】
2005122995.tif 000013
【手続補正書】
【提出日】平成16年11月18日(2004.11.18)
【手続補正１】
【補正対象書類名】特許請求の範囲
【補正対象項目名】請求項１
【補正方法】変更
【補正の内容】
【請求項１】
複数のプラグコンタクトおよびこれらプラグコンタクトを保持するプラグハウジングを有するプラグと、複数のリセプタクルコンタクトおよびこれらリセプタクルコンタクトを保持するリセプタクルハウジングとを有するリセプタクルと、を備え、
前記プラグに前記リセプタクルを嵌合することにより、前記プラグコンタクトと前記リセプタクルコンタクトとが接続されるコネクタであって、
前記リセプタクルハウジングは、前記プラグに対する前記リセプタクルの嵌合方向に交差する方向に突出する凸部を備え、
前記プラグハウジングは、前記嵌合方向に沿って延びて前記凸部が嵌合可能な溝を有する壁部を備え、
前記リセプタクルハウジングの凸部の幅は、前記プラグハウジングの溝の幅よりも狭いコネクタ。
【手続補正２】
【補正対象書類名】明細書
【補正対象項目名】０００６
【補正方法】変更
【補正の内容】
【０００６】
（１）  複数のプラグコンタクトおよびこれらプラグコンタクトを保持するプラグハウジングを有するプラグと、複数のリセプタクルコンタクトおよびこれらリセプタクルコンタクトを保持するリセプタクルハウジングとを有するリセプタクルと、を備え、前記プラグに前記リセプタクルを嵌合することにより、前記プラグコンタクトと前記リセプタクルコンタクトとが接続されるコネクタであって、前記リセプタクルハウジングは、前記プラグに対する前記リセプタクルの嵌合方向に交差する方向に突出する凸部を備え、前記プラグハウジングは、前記嵌合方向に沿って延びて前記凸部が嵌合可能な溝を有する壁部を備え、前記リセプタクルハウジングの凸部の幅は、前記プラグハウジングの溝の幅よりも狭いコネクタ。